(57)【要約】【課題】掃除機本体を着脱可能に構成すると共に、掃除機本体を取り外して使用する際の使用性の向上が図れる縦型掃除機を提供する。【解決手段】電動送風機１１や集塵部１２を有する掃除機本体１と前記集塵部１２に連通するホース２とが床用吸込具３１や操作用ハンドル３２を有するスティック部３に着脱可能に取り付けられると共に、掃除機本体１の上部側に当該掃除機本体１の手持ち用ハンドル１４を備えて、下部側に電動送風機１１を配置した。【選択図】        図２
2005040245.tif 000002
【特許請求の範囲】
【請求項１】
電動送風機や集塵部を有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備えて、下部側に電動送風機を配置したことを特徴とする縦型掃除機。
【請求項２】
前記手持ち用ハンドルを前記掃除機本体の上部側に配置される着脱可能な集塵部に設けたことを特徴とする請求項１記載の縦型掃除機。
【請求項３】
前記手持ち用ハンドルを前記掃除機本体の上部一側に配置される着脱可能な集塵部の他側の掃除機本体に設けると共に、当該手持ち用ハンドルの握り部が掃除機本体の重心の上方に位置するように形成したことを特徴とする請求項１記載の縦型掃除機。
【請求項４】
前記電動送風機の電源コード用のコードリールを電動送風機の直上に配置したことを特徴とする請求項１ないし請求項３のいずれかに記載の縦型掃除機。
【請求項５】
前記電動送風機の電源コード用のコードリールを前記掃除機本体の上部側に配置したことを特徴とする請求項１ないし請求項３のいずれかに記載の縦型掃除機。
【請求項６】
前記電動送風機の電源コード用のコードリールを前記掃除機本体の上部一側に配置し、他側に着脱可能な集塵部を配置すると共に、前記手持ち用ハンドルの両端部を前記コードリールが配置された掃除機本体上部側面に取り付けたことを特徴とする請求項１ないし請求項３のいずれかに記載の縦型掃除機。
【請求項７】
前記電動送風機から排出される排気を前記床用吸込具に還流するための還流路連結部を備えたことを特徴とする請求項１ないし請求項６のいずれかに記載の縦型掃除機。
【発明の詳細な説明】
【０００１】
【発明の属する技術分野】
本願発明は、縦型（アップライト型）掃除機に係わり、特に掃除機本体が比較的小型軽量のスティック型と呼ばれる縦型掃除機に関するものである。
【０００２】
【従来の技術】
従来、この種の縦型掃除機は、一般的に、床用吸込具や操作用ハンドルを有するスティック部が電動送風機や集塵部を有する掃除機本体に一体に構成されており、掃除機本体を着脱することはできなかった。
【０００３】
なお、床移動型（キャニスタータイプ）としての使用と縦型（アップライトタイプ）としての使用を可能とする電気掃除機は知られている（例えば、特許文献１〜３参照）。
【０００４】
【特許文献１】
特開平８−５０６号公報（図１、図２、図１６、図１８、図２３）
【特許文献２】
特開平８−３３５９１号公報（図１〜図７）
【特許文献３】
実用新案登録第２５５６４９７号公報（第１図〜第５図）
【０００５】
【発明が解決しようとする課題】
ところが、掃除機本体を着脱できない一般的な縦型掃除機では、ベットの下や家具の上などの部屋の上方や階段等を容易に掃除できないという課題があった。
【０００６】
また、上記特許文献１，２に記載されたような床移動型としての使用と縦型としての使用を可能とする電気掃除機においては、掃除機本体を取り外すことができるが、これはあくまで床移動型としての使用を目的としたものであって、掃除機本体の手持ち用ハンドルの記載が無いことからも明らかなように、手持ち使用については全く考慮されていない。また、上記特許文献３の第５図の如く一般的な床移動型掃除機のような持ち運び用ハンドルが有ったとしても、この持ち運び用ハンドルを用いての手持ち使用は、経験者ならば分かると思うが、安定性がなく決して使用性の良いものではない。
【０００７】
そこで、本願発明はこのような課題を解決するためになされたものであり、掃除機本体を着脱可能に構成すると共に、掃除機本体を取り外して使用する際の使用性の向上が図れる縦型掃除機を提供することを目的とするものである。
【０００８】
【課題を解決するための手段】
上記のような目的を達成するために、本願発明は、電動送風機や集塵部を有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備えて、下部側に電動送風機を配置したことを特徴とするものである。
【０００９】
そして、前記手持ち用ハンドルを前記掃除機本体の上部側に配置される着脱可能な集塵部に設けたことを特徴とするものである。
【００１０】
一方、前記手持ち用ハンドルを前記掃除機本体の上部一側に配置される着脱可能な集塵部の他側の掃除機本体に設けると共に、当該手持ち用ハンドルの握り部が掃除機本体の重心の上方に位置するように形成したことを特徴とするものである。
【００１１】
また、前記電動送風機の電源コード用のコードリールを電動送風機の直上に配置したことを特徴とするものである。
【００１２】
一方、前記電動送風機の電源コード用のコードリールを前記掃除機本体の上部側に配置したことを特徴とするものである。
【００１３】
また、前記電動送風機の電源コード用のコードリールを前記掃除機本体の上部一側に配置し、他側に着脱可能な集塵部を配置すると共に、前記手持ち用ハンドルの両端部を前記コードリールが配置された掃除機本体上部側面に取り付けたことを特徴とするものである。
【００１４】
さらに、前記電動送風機から排出される排気を前記床用吸込具に還流するための還流路連結部を備えたことを特徴とするものである。
【００１５】
【発明の実施の形態】
以下、本願発明の実施形態を図面を参照して詳細に説明する。
【００１６】
図１〜図５は本願発明による縦型掃除機の一実施形態の構成及び作用を示す図であり、このスティック型と呼ばれる縦型掃除機の基本的構成は、電動送風機１１や集塵部１２やコードリール１３を有する掃除機本体１と前記集塵部１２に連通するホース２とが床用吸込具３１や操作用ハンドル３２を有するスティック部３に着脱可能に取り付けられると共に、掃除機本体１の上部側に当該掃除機本体１の手持ち用ハンドル１４を備えて、下部側に電動送風機１１を配置したものである。
【００１７】
具体的に説明すると、比較的小型軽量（ここでは約３Ｋｇ）の掃除機本体１には図２，図３に示すように、下部側から、モータ１１１と送風機１１２が一体化されてモータ１１１を下側にして配置された電動送風機１１、そのすぐ上に配置されて電動送風機１１の電源コード１３１を巻き取るコードリール１３、サイクロン方式の着脱可能な集塵部１２、この集塵部１２の上部に前後方向に形成された手持ち用ハンドル１４が配置されている。すなわち、手持ち用ハンドル１４が最上部に配置されると共に、一番重量のある電動送風機１１が最下部に配置されており、これにより掃除機本体１の重心が低くなるので、手持ち用ハンドル１４を持っての掃除機本体１の着脱や手持ち使用を安定した状態で行うことができ、使用性の向上が図られている。また、掃除機本体１の上部には上記集塵部１２に連通するホース２が取り付けられている。
【００１８】
一方、スティック部３は高さ方向中程に設けられた回動部３３から上方の操作用ハンドル３２が後側に折り畳み可能に構成され、上端部にグリップ部３２１が形成された操作用ハンドル３２を後側に折り畳むことによりコンパクトに収納できるようになっている。また、スティック部３の下端には、底面側に吸込口３１１を有して回転ブラシ（図示せず）や前輪３１２及び後輪３１３等を備えた床用吸込具３１が回動可能に取り付けられており、掃除の際には床用吸込具３１の底面側が被掃除面に接触した状態でスティック部３が後方に傾倒可能に構成されている。
【００１９】
また、スティック部３の下部内側には、床用吸込具３１からの塵埃を含んだ空気の吸気管３４が形成され、この吸気管３４に連通してスティック部３の下部側面にホース２先端の吸込筒２１を着脱可能に差し込むための差込口３５が形成されている。また、吸気管３４の外側には、スティック部３の下部前面側に形成されて掃除機本体１の下部背面側から突出する排気筒１５が差し込まれて連結される連結口３６に連通して、床用吸込具３１の吸込口３１１に電動送風機１１の排気の一部を還流する排気還流路３７が形成されている。
【００２０】
上記掃除機本体１は、集塵部１２の上部に形成された手持ち用ハンドル１４を持って、掃除機本体１の下部背面側に突出するように形成された上記排気筒１５をスティック部３の下部前面側に形成された上記還流路連結口３６に差し込んでから、掃除機本体１の上部背面側を対応するスティック部３の前面側に図示しないクランプで係止することにより取り付けられ、このクランプの係止状態をボタン操作等で解除することにより取り外すことができるようにして、容易に着脱できるように構成されている。ここで、上記排気筒１５と還流路連結口３６は、排気の還流路連結部を構成すると共に、スティック部３に掃除機本体１を取り付ける際の位置決め機能と掃除機本体１の支持機能を有するものであるから、一定の強度を持たせる必要がある。
【００２１】
また、集塵部１２は、その上部に形成された手持ち用ハンドル１４を持って、集塵部１２の前面側下部と掃除機本体１側に形成された図示しない係合部を係合させてから、手持ち用ハンドル１４に設けられたボタン１４１に一体形成されたクランプ１４２を掃除機本体１側の係止部１６に係止することにより取り付けられ、このクランプ１４２の係止状態をスプリング１４３の付勢力に抗してボタン１４１を押下して解除することにより取り外すことができるように構成されている。
【００２２】
すなわち、本実施形態における掃除機本体１の手持ち用ハンドル１４は、掃除機本体１の手持ち用として機能すると共に、集塵部１２の手持ち用としても機能し、集塵部１２が掃除機本体１の上部にあることと相俟って、集塵部１２の着脱やごみ捨てを容易に行うことができるようになっている。
【００２３】
以上の構成において、通常の縦型掃除機としての使用時の吸排気の流れは図３に矢印で示す如くとなる。すなわち、電動送風機１１が駆動することにより、床用吸込具３１の吸込口３１１から塵埃と共に吸い込まれた空気は、スティック部３内の吸気管３４を通って、ホース差込口３５を介してホース２内を通り、掃除機本体１に装着されたサイクロン方式の集塵部１２内に吸い込まれる。
【００２４】
サイクロン方式の集塵部１２内で塵埃が除去された空気は、電動送風機１１の送風機１１２に吸い込まれ、さらにモータ１１１を冷却してから排出される。電動送風機１１から排出された排気の一部は掃除機本体１の下部背面側の排気筒１５から還流路連結口３６，還流路３７を介して床用吸込具３１に還流され、その吸込口３１１から絨毯等の被掃除面に吹き付けられることにより、絨毯等に付着した塵埃を効率良く吸い込むことができるようになる。
【００２５】
また、電動送風機１１からの排気の残りは、電源コード冷却用流路１７を介してコードリール１３に吹き付けられ、それに巻かれた電源コード１３１を冷却してから、掃除機本体１の側面等に形成された排気孔（図示せず）から外部に排出される。
【００２６】
一方、ベットの下等の掃除を行う場合は、スティック部３に掃除機本体１が取り付けられたままでは掃除機本体１が邪魔になって掃除できないので、手持ち用ハンドル１４を片手で持って掃除機本体１を図４に示すようにスティック部３から取り外し、ホース２はスティック部３に取り付けたままとする。そして、掃除機本体１が取り外されたスティック部３の操作用ハンドル３２のグリップ部３２１をもう一方の手で持ってスティック部３を後方に倒しながら床用吸込具３１をベットの下等に挿入することにより、容易に掃除を行うことができる。このとき、掃除機本体１は、前述したように一番重量のある電装送風機１１が一番下に配置されていて掃除機本体１の重心が低くなるため、掃除機本体１の着脱や手持ち使用による掃除中の持ち運び時に上部の手持ち用ハンドル１４で持った掃除機本体１は安定するので、掃除機本体１を取り外して使用する際の使用性が向上する。また、このような掃除の途中では被掃除面にある物を動かす等のために掃除機本体１を一時的に床面に置くような場合があるが、本実施形態のように掃除機本体１の底面外周が外観の向上等のために図示のように円弧状に形成されていても、重心が低く安定性があるので倒れるようなことはない。
【００２７】
また、家具の上などの部屋の上方や階段等を掃除する場合は、図５に示すように、掃除機本体１と共にホース２もスティック部３から取り外して、片手で手持ち用ハンドル１４を持ち、もう一方の手でホース２先端を持ってホース２先端の吸込筒２１やこれに装着できる隙間用ノズル等を用いて、家具の上などの部屋の上方や階段等も容易に掃除することができる。このような使用形態においても、前記と同様な作用効果が得られる。
【００２８】
また、本実施形態においては、コードリール１３が電動送風機１１のすぐ上に配置されているので、電源コード１３１の引出口をある程度の高さに形成することができ、電源コード１３１が床用吸込具３１や使用者の足等と交錯しにくくなると共に、電動送風機１１からの排気による電源コード１３１の冷却が容易となる。また、電動送風機１１が下部にあるので、排気を還流する床用吸込具３１が近くなるため、排気還流路３７が短くて済む。さらに、本実施形態のように、掃除機本体１側の排気筒１５とスティック部３側の還流路連結口３６とを直接連結するようにすれば、前記特許文献１の図２３や特許文献２の図１に示されたような連結用のホースも不要となる。
【００２９】
図６〜図９は、本願発明による縦型掃除機の他の実施形態の構成及び作用を示す図であり、前記実施形態と同一符号は同一又は相当部分を示している。
【００３０】
前記実施形態では、着脱可能な集塵部１２の上部に掃除機本体１の手持ち用ハンドル１４を設けたが、掃除機本体１の手持ち使用時に、万一、掃除機本体１が何かに当たって衝撃を受けた場合、スプリング１４３で付勢されたクランプ１４２の係止状態が外れたり損傷して、掃除機本体１が落下する畏れがある。
【００３１】
そこで、本実施形態では、集塵部１２の背面側にある掃除機本体１上部側から前方斜め上方に向けて形成された横向きの手持ち用ハンドル１８を設け、そのグリップ部（握り部）１８１が掃除機本体１の重心の上方に位置するように形成したものである。なお、集塵部１２の着脱用のクランプやボタン等は簡略化のため図示を省略している。
【００３２】
このように構成することにより、図７や図８に示すように掃除機本体１を取り外して手持ち用ハンドル１８を持って掃除をする時に、掃除機本体１の重心が手持ち用ハンドル１８のグリップ部１８１の真下付近になるため、掃除機本体１が傾くことなく安定するので、楽に掃除でき、使用性が向上する。そして、掃除機本体１から手持ち用ハンドル１８を形成しているため、強度確保が容易で、万一、掃除機本体１が何かに当たって衝撃を受けても掃除機本体１が落下する畏れがなくなる。なお、この場合、集塵部１２に前記実施形態のような手持ち用ハンドル１４がなくても、この掃除機本体１は前述したように比較的小型軽量であるので、集塵部１２の両側を片手で掴むように持って図９に示すように取り外すことができるが、集塵部１２の前面側等に掃除機本体１の手持ち用ハンドル１８の代わりとはならないような簡単な取手を設けるようにしても良い。
【００３３】
また、本実施形態では、掃除機本体１の下部背面側にスティック部３の下部両側を挟むような一対のリブ１９を設け、スティック部３の下部両側には凸部（図示せず）を形成して、これらの凸部に両側リブ１９の内側に対応して形成した凹部（図示せず）が載置係合するようにして、スティック部３に掃除機本体１を取り付ける際の位置決め機能と掃除機本体１の支持機能を実現している。
【００３４】
このように構成することにより、前記実施形態のような排気還流式の場合にも還流路連結部（排気筒１５と還流路連結口３６）に余り強度を持たせる必要が無くなり、また、排気還流式でない場合にも対応できる。
【００３５】
その他の構成は前記実施形態とほぼ同様であり、これらに関しては、前記実施形態とほぼ同様な作用効果が得られる。
【００３６】
図１０〜図１３は、本願発明による縦型掃除機のさらに他の実施形態の構成及び作用を示す図であり、前記実施形態と同一符号は同一又は相当部分を示している。
【００３７】
前記実施形態では、最下部に配置した電動送風機１１のすぐ上にコードリール１３を配置したが、本実施形態においては、図１３に示すように、電動送風機１１を最下部に配置する点は変わらないが、コードリール１３は掃除機本体１の上部後側に配置し、その前側に着脱可能な集塵部１２の上部側が位置するように配置している。なお、この集塵部１２は、その上部に設けられたボタン１２１に一体形成されたクランプ１２２を掃除機本体１側の係止部１６に係止することにより取り付けられ、このクランプ１２２の係止状態をスプリング１２３の付勢力に抗してボタン１２１を押下して解除することにより取り外すことができるように構成されている。
【００３８】
上記コードリール１３が配置された掃除機本体１の上部側面には、図１０，図１１に示すように、コードリール１３に巻かれた電源コード１３１を引き出すと共にコードリール１３に巻き取られるときに電源プラグ１３２が本体１内に入り込むのを防ぐストッパー（図示せず）を有するコード引出口１３３が形成されている。また、ホース２は上記コード引出口１３３を避けて前述した実施形態とは反対側から集塵部１２に連通するように取り付けられ、本体１上面に形成された凹部２０を介してスティック部３の差込口３５に着脱可能に取り付けられるように構成されている。また、グリップ部１８１が横向きの手持ち用ハンドル１８は、上記ホース２を避けて、その両端部１８２がコードリール１３が配置された掃除機本体１の上部側面前側に取り付けられ、そこから上方に立ち上がるように形成されている。
【００３９】
このように構成することにより、前述してきた実施形態と同様に、一番重量のある電装送風機１１が一番下に配置されていて掃除機本体１の重心が低くなるため、掃除機本体１の着脱や手持ち使用による掃除中の持ち運び時に上部の手持ち用ハンドル１８で持った掃除機本体１は安定するので、掃除機本体１を取り外して使用する際の使用性が向上する。また、掃除機本体１から手持ち用ハンドル１８を形成しているため、強度確保が容易で、万一、掃除機本体１が何かに当たって衝撃を受けても掃除機本体１が落下する畏れがなくなる。
【００４０】
さらに、本実施形態では、コードリール１３を掃除機本体１の上部側に配置したことで、電源コード１３１の引出口１３３も掃除機本体１の上部側に形成できるので、前述してきた実施形態に比べて更に電源コード１３１が床用吸込具３１や使用者の足等と交錯しにくくなると共に、電源コード１３１の引き出しも容易になる。
【００４１】
また、前述してきた実施形態同様、本実施形態においてもスティック部３は折り畳み可能に構成されているので、図１１に示すように、スティック部３の操作用ハンドル３２を後側に折り畳むことによりコンパクトに収納できる。
【００４２】
【発明の効果】
以上のように本願発明によれば、電動送風機や集塵部を有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備えて、下部側に電動送風機を配置したことにより、重量のある電装送風機が下部側に配置されていて掃除機本体の重心が低くなるため、掃除機本体の着脱や手持ち使用による掃除中の持ち運び時に上部の手持ち用ハンドルで持った掃除機本体は安定するので、掃除機本体を取り外して使用する際の使用性が向上する。
【００４３】
そして、前記手持ち用ハンドルを前記掃除機本体の上部側に配置される着脱可能な集塵部に設けることにより、この手持ち用ハンドルは、掃除機本体の手持ち用として機能すると共に、集塵部の手持ち用としても機能し、集塵部が掃除機本体の上部にあることと相俟って、集塵部の着脱やごみ捨てを容易に行うことができる。
【００４４】
一方、前記手持ち用ハンドルを前記掃除機本体の上部一側に配置される着脱可能な集塵部の他側の掃除機本体に設けると共に、当該手持ち用ハンドルの握り部が掃除機本体の重心の上方に位置するように形成することにより、掃除機本体を取り外して手持ち用ハンドルを持って掃除をする時に、掃除機本体の重心が手持ち用ハンドルの握り部の真下付近になるため、掃除機本体が傾くことなく安定するので、楽に掃除でき、使用性が向上すると共に、掃除機本体に手持ち用ハンドルを設けているため、強度確保が容易で、万一、掃除機本体が何かに当たって衝撃を受けても掃除機本体が落下する畏れがなくなる。
【００４５】
また、前記電動送風機の電源コード用のコードリールを電動送風機の直上に配置することにより、電源コードの引出口をある程度の高さに形成することができ、電源コードが床用吸込具や使用者の足等と交錯しにくくなると共に、電動送風機からの排気による電源コードの冷却が容易となる。
【００４６】
一方、前記電動送風機の電源コード用のコードリールを前記掃除機本体の上部側に配置することにより、電源コードの引出口も掃除機本体の上部側に形成できるので、前記と比べて更に電源コードが床用吸込具や使用者の足等と交錯しにくくなると共に、電源コードの引き出しも容易になる。
【００４７】
また、前記電動送風機の電源コード用のコードリールを前記掃除機本体の上部一側に配置し、他側に着脱可能な集塵部を配置すると共に、前記手持ち用ハンドルの両端部を前記コードリールが配置された掃除機本体上部側面に取り付けることによっても、上述したと同様な効果が得られる。
【００４８】
さらに、前記電動送風機から排出される排気を前記床用吸込具に還流するための還流路連結部を備えることにより、電動送風機が下部にあるので、排気を還流する床用吸込具が近くなるため、排気還流路が短くて済む。
【図面の簡単な説明】
【図１】本願発明による縦型掃除機の一実施形態の側面図。
【図２】同じく、要部側断面図。
【図３】上記図２の要部拡大図で、吸排気の流れを矢印で示す。
【図４】上記図１のスティック部から掃除機本体を取り外した状態を示す側面図。
【図５】同じく、掃除機本体と共にホースも取り外した状態を示す側面図。
【図６】本願発明による縦型掃除機の他の実施形態の一部切欠き側面図。
【図７】上記図６のスティック部から掃除機本体を取り外した状態を示す側面図。
【図８】同じく、掃除機本体と共にホースも取り外した状態を示す側面図。
【図９】同じく、集塵部を取り外した状態を示す側面図。
【図１０】本願発明による縦型掃除機のさらに他の実施形態の側面図。
【図１１】同じく、スティック部の操作用ハンドルを後側に折り畳んだ収納状態を示す側面図。
【図１２】同じく、掃除機本体と共にホースも取り外した状態を示す正面図。
【図１３】同じく、掃除機本体の側断面図。
【符号の説明】
１  掃除機本体
１１  電動送風機
１２  集塵部
１３  コードリール
１３１  電源コード
１３２  電源プラグ
１３３  コード引出口
１４  手持ち用ハンドル
１５  排気筒
１７  電源コード冷却用流路
１８  手持ち用ハンドル
１８１  グリップ部（握り部）
２  ホース
２１  吸込筒
３  スティック部
３１  床用吸込具
３２  操作用ハンドル
３３  回動部
３４  吸気管
３５  差込口
３６  連結口
３７  排気還流路
【図１】
2005040245.tif 000003
【図２】
2005040245.tif 000004
【図３】
2005040245.tif 000005
【図４】
2005040245.tif 000006
【図５】
2005040245.tif 000007
【図６】
2005040245.tif 000008
【図７】
2005040245.tif 000009
【図８】
2005040245.tif 000010
【図９】
2005040245.tif 000011
【図１０】
2005040245.tif 000012
【図１１】
2005040245.tif 000013
【図１２】
2005040245.tif 000014
【図１３】
2005040245.tif 000015